(57)【要約】【課題】ＥＳＳＩＤステルスが適用される複数のアクセスポイントが存在し、それぞれのアクセスポイントのＥＳＳＩＤが異なる環境において、各アクセスポイントに対するＥＳＳＩＤの設定を自動に行うことで、ユーザーのＥＳＳＩＤ設定に関する負担を解消することを可能とする無線通信システムを提案する。【解決手段】移動端末５にて、複数存在する各アクセスポイント１００・２００に対してアクセスが行われる無線通信システムであって、移動端末５において、前記移動端末５の現在位置情報を元に、予め前記移動端末５の記憶部に記憶された、前記現在位置情報に対応するＥＳＳＩＤを取得し、取得した前記ＥＳＳＩＤを用いて各アクセスポイント１００・２００の属するネットワーク１０・２０への参加を試行する、無線通信システムとする。【選択図】図１
2007215026.tif 000002
【特許請求の範囲】
【請求項１】
移動端末にて、複数存在する各アクセスポイントに対してアクセスが行われる無線通信システムであって、
前記移動端末において、
前記移動端末の現在位置情報を元に、
予め前記移動端末の記憶部に記憶された、前記現在位置情報に対応するＥＳＳＩＤを取得し、
取得した前記ＥＳＳＩＤを用いて各アクセスポイントの属するネットワークへの参加を試行する、無線通信システム。
【請求項２】
前記現在位置情報は、移動端末に設けたＧＰＳ機能により取得されることとする、
ことを特徴とする、請求項１に記載の無線通信システム。
【請求項３】
複数存在する各アクセスポイントに対してアクセスを行う、無線通信システムの移動端末であって、
前記各アクセスポイントが属するネットワークに参加するための通信を実施する通信機能部と、
前記移動端末の現在位置を取得するための現在位置取得機能部と、
前記現在位置の情報とＥＳＳＩＤ情報とを関連付けて記憶するデータベースＤＢを記憶するための記憶部と、
前記通信機能部、現在位置取得機能部、記憶部と接続され、前記アクセスポイントが属するネットワークとの通信を制御するための通信制御部と、
を具備し、
前記通信制御部では、前記現在位置の情報に対応する前記ＥＳＳＩＤ情報を用いて各アクセスポイントが属するネットワークへの参加を試行する、無線通信システムの移動端末。
【請求項４】
前記現在位置取得機能部による移動端末の現在位置の取得は、前記移動端末に設けられるＧＰＳ機能により実現される、ことを特徴とする、請求項３に記載の無線通信システムの移動端末。
【請求項５】
無線通信システムの移動端末のＥＳＳＩＤの取得方法であって、
移動端末において、
前記移動端末の現在位置の情報を元に、
予め前記移動端末の記憶部に記憶された、前記現在位置情報に対応するＥＳＳＩＤを取得する、無線通信システムの移動端末のＥＳＳＩＤの取得方法。
【請求項６】
前記移動端末の現在位置の情報は、ＧＰＳ機能を用いて取得される、
ことを特徴とする、請求項５に記載の無線通信システムのＥＳＳＩＤの取得方法。
【発明の詳細な説明】
【技術分野】
【０００１】
本発明は、移動端末と、その通信相手との通信を無線で確立するための無線通信システムに関するものである。
【背景技術】
【０００２】
従来の無線通信システムでは、移動端末にてアクセスポイントから送出されるビーコン信号を受信し、その中のＥＳＳＩＤ情報を抽出して無線通信を確立することとされており、この種の無線通信システムの仕組について開示する文献も存在する（例えば、特許文献１参照。）。
【０００３】
一方、セキュリティ確保の観点から、前記ビーコン信号を停止させるＥＳＳＩＤステルスも周知となっている（「ステルスモード」ともいわれる）。
この場合、移動端末のユーザーは、そのＥＳＳＩＤをアクセスポイント以外から、何らかの手段で入手し、端末に設定する必要がある（ＥＳＳＩＤ：Ｅｘｔｅｎｄｅｄ  Ｓｅｒｖｉｃｅ  Ｓｅｔ  Ｉｄｅｎｔｉｆｉｅｒ）。
【０００４】
このＥＳＳＩＤステルスが適用される複数のアクセスポイントが存在し、それぞれのアクセスポイントのＥＳＳＩＤが異なる環境においては、ユーザーは、各アクセスポイントに対するＥＳＳＩＤをその都度設定する必要がある。
【０００５】
しかし、アクセスポイントが変更される度にＥＳＳＩＤを設定する作業は、ユーザーにとって煩雑な作業となる。
特に、端末の移動によるアクセスポイントの変更が頻繁に行われる場合には、このＥＳＳＩＤの設定作業は、ユーザーにとって大きな負担となる。
【特許文献１】特開２００５−１４２８９３号公報
【発明の開示】
【発明が解決しようとする課題】
【０００６】
そこで、本発明は、以上の問題点に鑑み、ＥＳＳＩＤステルスが適用される複数のアクセスポイントが存在し、それぞれのアクセスポイントのＥＳＳＩＤが異なる環境において、各アクセスポイントに対するＥＳＳＩＤの設定を自動に行うことで、ユーザーのＥＳＳＩＤ設定に関する負担を解消することを可能とする無線通信システムを提案するものである。
【課題を解決するための手段】
【０００７】
本発明の解決しようとする課題は以上のごとくであり、次にこの課題を解決するための手段を説明する。
【０００８】
即ち、請求項１に記載のごとく、
移動端末にて、複数存在する各アクセスポイントに対してアクセスが行われる無線通信システムであって、
前記移動端末において、
前記移動端末の現在位置情報を元に、
予め前記移動端末の記憶部に記憶された、前記現在位置情報に対応するＥＳＳＩＤを取得し、
取得した前記ＥＳＳＩＤを用いて各アクセスポイントの属するネットワークへの参加を試行する、無線通信システムとするものである。
【０００９】
また、請求項２に記載のごとく、
前記現在位置情報は、移動端末に設けたＧＰＳ機能により取得されることとするものである。
【００１０】
また、請求項３に記載のごとく、
複数存在する各アクセスポイントに対してアクセスを行う、無線通信システムの移動端末であって、
前記各アクセスポイントが属するネットワークに参加するための通信を実施する通信機能部と、
前記移動端末の現在位置を取得するための現在位置取得機能部と、
前記現在位置の情報とＥＳＳＩＤ情報とを関連付けて記憶するデータベースＤＢを記憶するための記憶部と、
前記通信機能部、現在位置取得機能部、記憶部と接続され、前記アクセスポイントが属するネットワークとの通信を制御するための通信制御部と、
を具備し、
前記通信制御部では、前記現在位置の情報に対応する前記ＥＳＳＩＤ情報を用いて各アクセスポイントが属するネットワークへの参加を試行する、無線通信システムの移動端末とするものである。
【００１１】
また、請求項４に記載のごとく、
前記現在位置取得機能部による移動端末の現在位置の取得は、前記移動端末に設けられるＧＰＳ機能により実現されることとするものである。
【００１２】
また、請求項５に記載のごとく、
無線通信システムの移動端末のＥＳＳＩＤの取得方法であって、
移動端末において、
前記移動端末の現在位置の情報を元に、
予め前記移動端末の記憶部に記憶された、前記現在位置情報に対応するＥＳＳＩＤを取得する、無線通信システムの移動端末のＥＳＳＩＤの取得方法とするものである。
【００１３】
また、請求項６に記載のごとく、
前記移動端末の現在位置の情報は、ＧＰＳ機能を用いて取得されることとするものである。
【発明の効果】
【００１４】
本発明によれば、ユーザーにＥＳＳＩＤの設定の負担を強いることのない快適な無線通信環境を構築できる。
【発明を実施するための最良の形態】
【００１５】
図１は、本発明の実施例の無線通信システムを説明するものであり、
この実施例は、移動端末５にて、複数存在する各アクセスポイント１００・２００に対してアクセスが行われる無線通信システムであって、
前記移動端末５において、
前記移動端末５の現在位置情報を元に、
予め前記移動端末５の記憶部に記憶された、前記現在位置情報に対応するＥＳＳＩＤを取得し、
取得した前記ＥＳＳＩＤを用いて各アクセスポイント１００・２００の属するネットワーク１０・２０への参加を試行する、無線通信システムとするものである。
【００１６】
また、前記現在位置情報は、移動端末５に設けたＧＰＳ機能により取得されることとするものである。
【００１７】
このように、現在位置情報（ＧＰＳ情報）に基づいて特定される、各アクセスポイント１００・２００の属するネットワーク１０・２０に参加するために必要なＥＳＳＩＤを、移動端末５において自動的に設定してアクセスを試行し、ネットワーク１０・２０への参加を可能とすることとすれば、ユーザーにＥＳＳＩＤの設定の負担を強いることのない快適な無線通信環境を構築できる。
【００１８】
次に、図２により、移動端末５に搭載する機能について説明する。
まず、この移動端末５は、例えば、パーソナルコンピュータ、ＰＤＡ（Ｐｅｒｓｏｎａｌ  Ｄｉｇｉｔａｌ  Ａｓｓｉｓｔａｎｃｅ）、携帯電話等が考えられる。
【００１９】
また、図２に示すごとく、前記移動端末５は、前記各アクセスポイント１００・２００（図１参照）が属するネットワーク１０・２０に参加するために必要な通信を実施する通信機能部２１を具備している。
この通信機能部２１により、前記各アクセスポイント１００・２００と移動端末５との間での電波の交換が行われることになっている。
尚、この通信機能部２１は、ＩＥＥＥ８０２．１１シリーズのワイヤレスＬＡＮのネットワークへの参加を想定した機能を具備することとしている。
【００２０】
また、図２に示すごとく、前記移動端末５は、前記移動端末５の現在位置を取得するための現在位置取得機能部２２を具備している。この現在位置取得機能部２２は、例えば、ＧＰＳ機能により実現可能である（ＧＰＳ：Ｇｌｏｂａｌ  Ｐｏｓｉｔｉｏｎｉｎｇ  Ｓｙｓｔｅｍ）。
このＧＰＳ機能による場合、図１に示すごとく、ＧＰＳ衛星群３００・３００と交信することにより、移動端末５の現在位置（緯度、経度等）を特定することができる。
また、この現在位置取得機能部２２では、前記移動端末５の現在位置に関する情報を、ＧＰＳ情報として保持されるようになっている。
【００２１】
尚、このようなＧＰＳ機能の実装の形態はあくまでも一例であり、この他の機能によって現在位置を自動取得することとしてもよい。また、自動取得とはならないが、移動端末５のユーザーに現在位置を特定させる情報を入力させる運用も考えられる。
【００２２】
また、図２に示すごとく、前記移動端末５は、ＥＳＳＩＤのデータベースＤＢを記憶するための記憶部２３を具備している。
また、前記ＥＳＳＩＤのデータベースＤＢは、図３に示すごとく、前記現在位置情報３００と、前記アクセスポイント情報４００と、前記ＥＳＳＩＤ情報５００を関連付けて記憶するデータベースである。このデータベースＤＢは、予め移動端末５の記憶部２３に記憶されるものである。
【００２３】
そして、このデータベースＤＢにおいて、例えば、現在位置情報３００で現在位置ＡＡＡである場合には、アクセスポイント情報４００がアクセスポイント１００ａとされ、ＥＳＳＩＤ情報５００がＡＡＡａａａａ（ＥＳＳＩＤ）とされるものである。
【００２４】
このように、データベースＤＢが参照されることにより、現在位置情報３００から、アクセスポイント、さらに、ＥＳＳＩＤが特定されることとなっている。
また、前記一つの現在位置情報３００について、複数のアクセスポイント情報４００、及び、複数のＥＳＳＩＤ情報５００が記憶されるようになっている。例えば、アクセスポイント情報４００は、（１）１００ａ、（２）１００ｂ、（３）１００ｃ、ＥＳＳＩＤ情報５００は、（１）ＡＡＡａａａａ、（２）ＡａＡａａａａ、（３）ａＡＡａａａａ、のようなものである。
これは、例えば、同一建物内において、建物階毎に異なるアクセスポイント、及び、ＥＳＳＩＤが設定される運用を想定したものであり、後述する通信制御部２４では、前記ＥＳＳＩＤ情報５００に記憶されるＥＳＳＩＤ、即ち、利用される候補となるＥＳＳＩＤを順次用いてアクセス試行を行うようにしている。
【００２５】
また、図３に示すごとく、前記データベースＤＢには、前記各ＥＳＳＩＤ情報５００の値に対応して、ＩＰアドレス６００、及び、ＷＥＰキー７００等の、各アクセスポイントとの通信において利用される様々なネットワーク情報が記憶されるようになっている。
これにより、後述する通信制御部２４では、利用されるＥＳＳＩＤ情報５００に対応したＷＥＰキー７００を用いて暗号化を行う等して、各アクセスポイントにおいて専用のネットワーク設定による通信を確立することとしている。
【００２６】
また、図２に示すごとく、前記移動端末５は、前記通信機能部２１、現在位置取得機能部２２、記憶部２３と接続され、前記アクセスポイントが属するネットワークとの通信を制御するための通信制御部２４を具備している。
【００２７】
本実施例に関連する主な通信制御部２４の機能は、アクセスポイント１００・２００の属するネットワークに参加するのに必要となるＥＳＳＩＤの自動設定の機能である。
この機能について図４に示すフローチャートを用いて説明する。
通信制御部２４は、前記現在位置取得機能部２２から、現在位置情報３００（現在位置情報）を取得する（ステップＳ４１）。
尚、前記現在位置取得機能部２２が現在位置情報３００を保持していない場合には、現在位置取得機能部２２に現在位置情報３００の取得を促す。
【００２８】
次に、前記通信制御部２４は、前記記憶部２３のデータベースＤＢを参照し、前記現在位置情報３００に対応するアクセスポイント情報４００、及び、ＥＳＳＩＤ情報５００を取得する（ステップＳ４２）。
【００２９】
次に、前記通信制御部２４は、前記アクセスポイント情報４００、及び、ＥＳＳＩＤ情報５００を用いて、前記通信機能部２１を介して、現在位置するエリアに存在するアクセスポイントに対し、前記ＥＳＳＩＤ情報５００を用いた通信が可能なネットワーク（図１で示すところのネットワーク１０・２０）が存在するか否かの問合せを行う（ステップＳ４３）。
ここで、前記通信制御部２４は、該当するネットワークが存在しない場合には、別の候補のＥＳＳＩＤ（図３参照）を順次用いて問合せを行う（ステップＳ４４）。
【００３０】
次に、前記通信制御部２４は、接続可能なネットワークとの通信が確立されると、前記データベースＤＢを参照し、そのときに利用されたＥＳＳＩＤに対応するＩＰアドレス６００や、ＷＥＰキー７００等のネットワーク情報（図３参照）を取得し、必要なデータ通信を開始できる状態を確立する（ステップＳ４５）。
そして、この状態を確立することにより、ネットワーク１０（又は、ネットワーク２０）、及び、イントラネット１を介した、移動端末５とサーバー２の間のデータ通信が可能となる。
【００３１】
以上のようにして、通信制御部２４により、自動的にＥＳＳＩＤを設定し、ネットワーク参加が可能となれば、ＥＳＳＩＤステルスが適用される複数のアクセスポイントが存在し、それぞれのアクセスポイントが属するネットワークのＥＳＳＩＤが異なる環境において、ユーザーのＥＳＳＩＤの設定の負担を解消することが可能となる。これにより、ユーザーの利便性を向上することができる。
【００３２】
例えば、図１に示すネットワーク構成において、ユーザーが移動端末５をもってアクセスポイント１００の圏内Ａから、アクセスポイント２００の圏内Ｂに移動した場合においては、前記ＥＳＳＩＤが自動設定されることにより、ユーザーは、ＥＳＳＩＤの設定変更作業をすることなく、サーバー２とのデータ通信を実施することができることになる。
【００３３】
また、図１に示すネットワーク構成において、アクセスポイント１００・２００や、ネットワーク１０・２０、イントラネット１、通信相手となるサーバー２、といったインフラ側に、前記移動端末５に対してＩＰアドレスを割り振るＤＨＣＰサーバ等といった特別な仕組みがない場合でも、前記移動端末５において、前記ＥＳＳＩＤの自動設定を行うことが可能となり、既存のネットワーク構成に対する適用も容易なものとなる。
【００３４】
次に、移動端末５の実施例について説明する。
以上に述べた無線通信システムの実用化につき、移動端末５は次の構成により実現することができる。
即ち、図１及び図２に示すごとく、複数存在する各アクセスポイント１００・２００に対してアクセスを行う、無線通信システムの移動端末５であって、
前記各アクセスポイント１００・２００（図１参照）が属するネットワーク１０・２０に参加するための通信を実施する通信機能部２１と、
前記移動端末５の現在位置を取得するための現在位置取得機能部２２と、
前記現在位置の情報（現在位置情報３００（図３参照）とＥＳＳＩＤ情報５００（図３参照）とを関連付けて記憶するデータベースＤＢを記憶するための記憶部２３と、
前記通信機能部２１、現在位置取得機能部２２、記憶部２３と接続され、前記アクセスポイントが属するネットワークとの通信を制御するための通信制御部２４と、
を具備し、
前記通信制御部２４では、前記現在位置の情報に対応する前記ＥＳＳＩＤ情報を用いて各アクセスポイント１００・２００が属するネットワーク１０・２０への参加を試行する、こととするものである。
【００３５】
また、前記現在位置取得機能部２２による移動端末５の現在位置の取得は、前記移動端末５に設けられるＧＰＳ機能により実現されることとするものである。
【００３６】
以上の移動端末５の構成により、ＥＳＳＩＤステルスが適用される複数のアクセスポイントが存在し、それぞれのアクセスポイントが属するネットワークのＥＳＳＩＤが異なる環境において、ユーザーのＥＳＳＩＤの設定の負担を解消することが可能となる。
尚、以上の移動端末５の各機能部の機能を実現するための具体的なハードウェア構成は、周知の技術により実現可能であることから、説明は省略するものとする。
【００３７】
次に、無線通信システムの移動端末５のＥＳＳＩＤの取得方法について説明する。
即ち、図１に示すごとく、
無線通信システムの移動端末のＥＳＳＩＤの取得方法であって、
移動端末５において、
前記移動端末５の現在位置の情報（現在位置情報３００（図３参照）を元に、
予め前記移動端末５の記憶部２３（図２参照）に記憶された、前記現在位置情報に対応するＥＳＳＩＤを取得することとするものである。
【００３８】
また、前記移動端末５の現在位置の情報は、ＧＰＳ機能を用いて取得されることとするものである。
【００３９】
以上のＥＳＳＩＤの取得方法により、ＥＳＳＩＤステルスが適用される複数のアクセスポイントが存在し、それぞれのアクセスポイントが属するネットワークのＥＳＳＩＤが異なる環境において、ユーザーのＥＳＳＩＤの設定の負担を解消することが可能となる。
【図面の簡単な説明】
【００４０】
【図１】本発明の実施例が適用されるネットワーク構成について示す図。
【図２】移動端末の構成例について示す図。
【図３】データベースに記憶されるデータについて示す図。
【図４】ＥＳＳＩＤの取得に関連するフローチャートについて示す図。
【符号の説明】
【００４１】
１      イントラネット
２      サーバー
５      移動端末
１０    ネットワーク
２０    ネットワーク
２１    通信機能部
２２    現在位置取得機能部
２３    記憶部
２４    通信制御部
１００  アクセスポイント
２００  アクセスポイント
【図１】
2007215026.tif 000003
【図２】
2007215026.tif 000004
【図３】
2007215026.tif 000005
【図４】
2007215026.tif 000006